(57)【特許請求の範囲】
【請求項１】
ＲＤＳ放送を受信するＲＤＳ用チューナと、
ＤＡＢ放送を受信するＤＡＢ用チューナと、
前記ＲＤＳ用チューナにより受信されたＲＤＳ放送から番組識別コード及び番組サービス名を取得するＲＤＳデータ取得部と、
前記ＤＡＢ用チューナにより受信されたＤＡＢ放送からサービス識別コード及びサービスラベルを取得するＤＡＢデータ取得部と、
前記ＲＤＳ用チューナで受信可能な品質のＲＤＳ局を検出する受信可能局検出部と、
前記受信可能局検出部により検出されたＲＤＳ局が、番組サービス名として放送局名以外の情報を送信しているダイナミックＰＳ局であるか否かを判定するダイナミックＰＳ判定部と、
前記ＲＤＳデータ取得部により取得された、前記ダイナミックＰＳ局の番組識別コード及び番組サービス名が、それぞれ、前記ＤＡＢデータ取得部により取得された、前記ダイナミックＰＳ局のサービス識別コード及びサービスラベルと一致するか否かを判定する一致判定部と、
前記一致判定部により前記ダイナミックＰＳ局の番組識別コードとサービス識別コードとが一致すると共に番組サービス名とサービスラベルとが一致すると判定された場合、当該サービスラベルを前記ダイナミックＰＳ局の放送局名として選定する放送局名選定部とを備え、
前記放送局名選定部は、前記一致判定部により前記ダイナミックＰＳ局の番組識別コードに一致するサービス識別コードがないと判定された場合、前記ＲＤＳデータ取得部により複数回取得された複数の番組サービス名の中から最も出現回数の多い番組サービス名を、前記ダイナミックＰＳ局の放送局名として選定する
ことを特徴とするラジオ受信装置。
【請求項２】
ＲＤＳ放送を受信するＲＤＳ用チューナと、
ＤＡＢ放送を受信するＤＡＢ用チューナと、
前記ＲＤＳ用チューナにより受信されたＲＤＳ放送から番組識別コード及び番組サービス名を取得するＲＤＳデータ取得部と、
前記ＤＡＢ用チューナにより受信されたＤＡＢ放送からサービス識別コード及びサービスラベルを取得するＤＡＢデータ取得部と、
前記ＲＤＳ用チューナで受信可能な品質のＲＤＳ局を検出する受信可能局検出部と、
前記受信可能局検出部により検出されたＲＤＳ局が、番組サービス名として放送局名以外の情報を送信しているダイナミックＰＳ局であるか否かを判定するダイナミックＰＳ判定部と、
前記ＲＤＳデータ取得部により取得された、前記ダイナミックＰＳ局の番組識別コード及び番組サービス名が、それぞれ、前記ＤＡＢデータ取得部により取得された、前記ダイナミックＰＳ局のサービス識別コード及びサービスラベルと一致するか否かを判定する一致判定部と、
前記一致判定部により前記ダイナミックＰＳ局の番組識別コードとサービス識別コードとが一致すると共に番組サービス名とサービスラベルとが一致すると判定された場合、当該サービスラベルを前記ダイナミックＰＳ局の放送局名として選定する放送局名選定部とを備え、
前記ＲＤＳデータ取得部は、前記ＲＤＳ用チューナにより受信されたＲＤＳ放送からＲＤＳ拡張国コードを取得し、
前記ＤＡＢデータ取得部は、前記ＤＡＢ用チューナにより受信されたＤＡＢ放送からＤＡＢ拡張国コードを取得し、
前記一致判定部は、前記ＲＤＳデータ取得部により取得された、前記ダイナミックＰＳ局のＲＤＳ拡張国コードと、前記ＤＡＢデータ取得部により取得された、前記ダイナミックＰＳ局のＤＡＢ拡張国コードとが一致するか否かを判定し、
前記放送局名選定部は、前記一致判定部により前記ダイナミックＰＳ局の番組識別コードとサービス識別コードとが一致し、かつ、番組サービス名とサービスラベル又はＲＤＳ拡張国コードとＤＡＢ拡張国コードの少なくとも一方が一致すると判定された場合、当該サービスラベルを前記ダイナミックＰＳ局の放送局名として選定する
ことを特徴とするラジオ受信装置。
【請求項３】
ＲＤＳ放送を受信するＲＤＳ用チューナと、
ＤＡＢ放送を受信するＤＡＢ用チューナと、
前記ＲＤＳ用チューナにより受信されたＲＤＳ放送から番組識別コード及び番組サービス名を取得するＲＤＳデータ取得部と、
前記ＤＡＢ用チューナにより受信されたＤＡＢ放送からサービス識別コード及びサービスラベルを取得するＤＡＢデータ取得部と、
前記ＲＤＳ用チューナで受信可能な品質のＲＤＳ局を検出する受信可能局検出部と、
前記受信可能局検出部により検出されたＲＤＳ局が、番組サービス名として放送局名以外の情報を送信しているダイナミックＰＳ局であるか否かを判定するダイナミックＰＳ判定部と、
前記ＲＤＳデータ取得部により取得された、前記ダイナミックＰＳ局の番組識別コード及び番組サービス名が、それぞれ、前記ＤＡＢデータ取得部により取得された、前記ダイナミックＰＳ局のサービス識別コード及びサービスラベルと一致するか否かを判定する一致判定部と、
前記一致判定部により前記ダイナミックＰＳ局の番組識別コードとサービス識別コードとが一致すると共に番組サービス名とサービスラベルとが一致すると判定された場合、当該サービスラベルを前記ダイナミックＰＳ局の放送局名として選定する放送局名選定部と、
ユーザにより選局されたＲＤＳ局のＲＤＳ放送を受信するＲＤＳ用メインチューナを備え、
前記ＲＤＳ用チューナは、前記ユーザにより選局された前記ＲＤＳ局以外のＲＤＳ局のＲＤＳ放送を受信し、
前記ＲＤＳデータ取得部は、前記ＲＤＳ用メインチューナにより受信されたＲＤＳ放送から、前記ユーザにより選局された前記ＲＤＳ局の番組識別コード及び番組サービス名を取得し、前記ＲＤＳ用チューナにより受信されたＲＤＳ放送から、前記ユーザにより選局された前記ＲＤＳ局以外のＲＤＳ局の番組識別コード及び番組サービス名を取得する
ことを特徴とするラジオ受信装置。
【請求項４】
前記一致判定部は、前記ＲＤＳデータ取得部が前記ダイナミックＰＳ局の番組サービス名を複数回取得し終えるまでの期間、前記ダイナミックＰＳ局の番組識別コードとサービス識別コードとが一致するか否かの判定を定期的に行うことを特徴とする請求項１記載のラジオ受信装置。
【請求項５】
前記放送局名選定部は、前記一致判定部により前記ダイナミックＰＳ局の番組識別コードとサービス識別コードとが一致するが、番組サービス名とサービスラベルとが一致せず、ＲＤＳ拡張国コードとＤＡＢ拡張国コードとが一致しないと判定された場合、当該サービスラベルを前記ダイナミックＰＳ局の一時的な放送局名として選定し、その後、前記ＲＤＳデータ取得部により複数回取得された複数の番組サービス名の中から最も出現回数の多い番組サービス名を、前記ダイナミックＰＳ局の正式な放送局名として選定することを特徴とする請求項２記載のラジオ受信装置。
【請求項６】
前記一致判定部は、前記ＲＤＳデータ取得部が前記ダイナミックＰＳ局の番組サービス名を複数回取得し終えるまでの期間、前記ダイナミックＰＳ局の番組識別コードとサービス識別コードとが一致するか否かの判定を定期的に行うことを特徴とする請求項５記載のラジオ受信装置。
【請求項７】
前記放送局名選定部により選定された放送局名を記憶する放送局名記憶部を備え、
前記放送局名選定部は、前記ＲＤＳデータ取得部により取得された、前記ダイナミックＰＳ局の番組サービス名に一致する放送局名が前記放送局名記憶部に記憶されている場合、当該番組サービス名を前記ダイナミックＰＳ局の放送局名として選定することを特徴とする請求項１から請求項３のうちのいずれか１項記載のラジオ受信装置。
【請求項８】
ＲＤＳ放送を受信するＲＤＳ用チューナと、ＤＡＢ放送を受信するＤＡＢ用チューナとを備えるラジオ受信装置のラジオ受信方法であって、
ＲＤＳデータ取得部が、前記ＲＤＳ用チューナにより受信されたＲＤＳ放送から番組識別コード及び番組サービス名を取得し、
ＤＡＢデータ取得部が、前記ＤＡＢ用チューナにより受信されたＤＡＢ放送からサービス識別コード及びサービスラベルを取得し、
受信可能局検出部が、前記ＲＤＳ用チューナで受信可能な品質のＲＤＳ局を検出し、
ダイナミックＰＳ判定部が、前記受信可能局検出部により検出されたＲＤＳ局が、番組サービス名として放送局名以外の情報を送信しているダイナミックＰＳ局であるか否かを判定し、
一致判定部が、前記ＲＤＳデータ取得部により取得された、前記ダイナミックＰＳ局の番組識別コード及び番組サービス名が、それぞれ、前記ＤＡＢデータ取得部により取得された、前記ダイナミックＰＳ局のサービス識別コード及びサービスラベルと一致するか否かを判定し、
放送局名選定部が、前記一致判定部により前記ダイナミックＰＳ局の番組識別コードとサービス識別コードとが一致すると共に番組サービス名とサービスラベルとが一致すると判定された場合、当該サービスラベルを前記ダイナミックＰＳ局の放送局名として選定し、
前記放送局名選定部は、前記一致判定部により前記ダイナミックＰＳ局の番組識別コードに一致するサービス識別コードがないと判定された場合、前記ＲＤＳデータ取得部により複数回取得された複数の番組サービス名の中から最も出現回数の多い番組サービス名を、前記ダイナミックＰＳ局の放送局名として選定する
ことを特徴とするラジオ受信方法。
【請求項９】
ＲＤＳ放送を受信するＲＤＳ用チューナと、ＤＡＢ放送を受信するＤＡＢ用チューナとを備えるラジオ受信装置のラジオ受信方法であって、
ＲＤＳデータ取得部が、前記ＲＤＳ用チューナにより受信されたＲＤＳ放送から番組識別コード及び番組サービス名を取得し、
ＤＡＢデータ取得部が、前記ＤＡＢ用チューナにより受信されたＤＡＢ放送からサービス識別コード及びサービスラベルを取得し、
受信可能局検出部が、前記ＲＤＳ用チューナで受信可能な品質のＲＤＳ局を検出し、
ダイナミックＰＳ判定部が、前記受信可能局検出部により検出されたＲＤＳ局が、番組サービス名として放送局名以外の情報を送信しているダイナミックＰＳ局であるか否かを判定し、
一致判定部が、前記ＲＤＳデータ取得部により取得された、前記ダイナミックＰＳ局の番組識別コード及び番組サービス名が、それぞれ、前記ＤＡＢデータ取得部により取得された、前記ダイナミックＰＳ局のサービス識別コード及びサービスラベルと一致するか否かを判定し、
放送局名選定部が、前記一致判定部により前記ダイナミックＰＳ局の番組識別コードとサービス識別コードとが一致すると共に番組サービス名とサービスラベルとが一致すると判定された場合、当該サービスラベルを前記ダイナミックＰＳ局の放送局名として選定し、
前記ＲＤＳデータ取得部は、前記ＲＤＳ用チューナにより受信されたＲＤＳ放送からＲＤＳ拡張国コードを取得し、
前記ＤＡＢデータ取得部は、前記ＤＡＢ用チューナにより受信されたＤＡＢ放送からＤＡＢ拡張国コードを取得し、
前記一致判定部は、前記ＲＤＳデータ取得部により取得された、前記ダイナミックＰＳ局のＲＤＳ拡張国コードと、前記ＤＡＢデータ取得部により取得された、前記ダイナミックＰＳ局のＤＡＢ拡張国コードとが一致するか否かを判定し、
前記放送局名選定部は、前記一致判定部により前記ダイナミックＰＳ局の番組識別コードとサービス識別コードとが一致し、かつ、番組サービス名とサービスラベル又はＲＤＳ拡張国コードとＤＡＢ拡張国コードの少なくとも一方が一致すると判定された場合、当該サービスラベルを前記ダイナミックＰＳ局の放送局名として選定する
ことを特徴とするラジオ受信方法。
【請求項１０】
ＲＤＳ放送を受信するＲＤＳ用チューナと、ＤＡＢ放送を受信するＤＡＢ用チューナとを備えるラジオ受信装置のラジオ受信方法であって、
ＲＤＳデータ取得部が、前記ＲＤＳ用チューナにより受信されたＲＤＳ放送から番組識別コード及び番組サービス名を取得し、
ＤＡＢデータ取得部が、前記ＤＡＢ用チューナにより受信されたＤＡＢ放送からサービス識別コード及びサービスラベルを取得し、
受信可能局検出部が、前記ＲＤＳ用チューナで受信可能な品質のＲＤＳ局を検出し、
ダイナミックＰＳ判定部が、前記受信可能局検出部により検出されたＲＤＳ局が、番組サービス名として放送局名以外の情報を送信しているダイナミックＰＳ局であるか否かを判定し、
一致判定部が、前記ＲＤＳデータ取得部により取得された、前記ダイナミックＰＳ局の番組識別コード及び番組サービス名が、それぞれ、前記ＤＡＢデータ取得部により取得された、前記ダイナミックＰＳ局のサービス識別コード及びサービスラベルと一致するか否かを判定し、
放送局名選定部が、前記一致判定部により前記ダイナミックＰＳ局の番組識別コードとサービス識別コードとが一致すると共に番組サービス名とサービスラベルとが一致すると判定された場合、当該サービスラベルを前記ダイナミックＰＳ局の放送局名として選定し、
ＲＤＳ用メインチューナが、ユーザにより選局されたＲＤＳ局のＲＤＳ放送を受信し、
前記ＲＤＳ用チューナは、前記ユーザにより選局された前記ＲＤＳ局以外のＲＤＳ局のＲＤＳ放送を受信し、
前記ＲＤＳデータ取得部は、前記ＲＤＳ用メインチューナにより受信されたＲＤＳ放送から、前記ユーザにより選局された前記ＲＤＳ局の番組識別コード及び番組サービス名を取得し、前記ＲＤＳ用チューナにより受信されたＲＤＳ放送から、前記ユーザにより選局された前記ＲＤＳ局以外のＲＤＳ局の番組識別コード及び番組サービス名を取得する
ことを特徴とするラジオ受信方法。
【発明の詳細な説明】
【技術分野】
【０００１】
この発明は、ＲＤＳ（Ｒａｄｉｏ  Ｄａｔａ  Ｓｙｓｔｅｍ）放送とＤＡＢ（Ｄｉｇｉｔａｌ  Ａｕｄｉｏ  Ｂｒｏａｄｃａｓｔ）放送とを受信するラジオ受信装置及びラジオ受信方法に関するものである。
【背景技術】
【０００２】
デジタル多重ＦＭラジオ放送のデータ放送規格であるＲＤＳ放送では、放送局名が番組サービス名（Ｐｒｏｇｒａｍ  Ｓｅｒｖｉｃｅ  ｎａｍｅ：ＰＳ）として送信される。ラジオ受信装置は、この番組サービス名ＰＳを取得して放送局リストを作成し、表示装置に表示させる。ＲＤＳ放送を送信する放送局であるＲＤＳ局の中には、現在放送中の曲名、歌手名、又はアルバム名等、放送局名以外の情報を番組サービス名ＰＳとして送信している放送局（以下、「ダイナミックＰＳ局」と称する）が存在する。従来のラジオ受信装置は、取得したタイミングの番組サービス名ＰＳを放送局名として放送局リストに登録するため、放送局名以外の情報が番組サービス名ＰＳとして送信されている場合、その放送局名以外の情報が登録されてしまうことがある。【０００３】
そこで、特許文献１に係るラジオ受信装置は、ＲＤＳ放送に加え、デジタルラジオ放送規格であるＤＡＢ放送も受信する。そして、上記ラジオ受信装置は、ＲＤＳ放送の番組識別コード（Ｐｒｏｇｒａｍ  Ｉｄｅｎｔｉｆｉｃａｔｉｏｎ  ｃｏｄｅ：ＰＩ）と一致するサービス識別コード（Ｓｅｒｖｉｃｅ  Ｉｄｅｎｔｉｆｉｅｒ：ＳＩｄ）を持つＤＡＢ放送におけるサービスラベル（Ｓｅｒｖｉｃｅ  Ｌａｂｅｌ：ＳＬ）を、放送局名として使用する。
【先行技術文献】
【特許文献】
【０００４】
【特許文献１】特開２００７−７４０８５号公報
【発明の概要】
【発明が解決しようとする課題】
【０００５】
しかしながら、特許文献１に記載された方法であっても、依然として、ＲＤＳ局の誤認識が起きる可能性があるという課題があった。誤認識が起きる原因を以下に記す。【０００６】
放送局を識別する番組識別コードＰＩは１６ビットで構成され、上位４ビット（即ち、１６通り）が国コードを表す。本来、国コードは、各国に対して一意のコードが割り当てられる必要があるが、欧州５４か国に対して国コードが１６通りしかないため、異なる国に同じ国コードが割り当てられている場合がある。そのため、国境付近では、ＲＤＳ放送の番組識別コードＰＩとＤＡＢ放送のサービス識別コードＳＩｄとが一致しても、ＲＤＳ局とＤＡＢ局とが異なる放送局である可能性がある。【０００７】
この発明は、上記のような課題を解決するためになされたもので、ダイナミックＰＳ局の放送局名を正しく選定することを目的とする。
【課題を解決するための手段】
【０００８】
この発明に係るラジオ受信装置は、ＲＤＳ放送を受信するＲＤＳ用チューナと、ＤＡＢ放送を受信するＤＡＢ用チューナと、ＲＤＳ用チューナにより受信されたＲＤＳ放送から番組識別コード及び番組サービス名を取得するＲＤＳデータ取得部と、ＤＡＢ用チューナにより受信されたＤＡＢ放送からサービス識別コード及びサービスラベルを取得するＤＡＢデータ取得部と、ＲＤＳ用チューナで受信可能な品質のＲＤＳ局を検出する受信可能局検出部と、受信可能局検出部により検出されたＲＤＳ局が、番組サービス名として放送局名以外の情報を送信しているダイナミックＰＳ局であるか否かを判定するダイナミックＰＳ判定部と、ＲＤＳデータ取得部により取得された、ダイナミックＰＳ局の番組識別コード及び番組サービス名が、それぞれ、ＤＡＢデータ取得部により取得された、ダイナミックＰＳ局のサービス識別コード及びサービスラベルと一致するか否かを判定する一致判定部と、一致判定部によりダイナミックＰＳ局の番組識別コードとサービス識別コードとが一致すると共に番組サービス名とサービスラベルとが一致すると判定された場合、当該サービスラベルをダイナミックＰＳ局の放送局名として選定する放送局名選定部とを備え、放送局名選定部は、一致判定部によりダイナミックＰＳ局の番組識別コードに一致するサービス識別コードがないと判定された場合、ＲＤＳデータ取得部により複数回取得された複数の番組サービス名の中から最も出現回数の多い番組サービス名を、ダイナミックＰＳ局の放送局名として選定することを特徴とするものである。
【発明の効果】
【０００９】
この発明によれば、ダイナミックＰＳ局の番組識別コードとサービス識別コードとが一致すると共に番組サービス名とサービスラベルとが一致する場合、当該サービスラベルをダイナミックＰＳ局の放送局名として選定するようにしたので、ダイナミックＰＳ局の放送局名を正しく選定することができる。
【図面の簡単な説明】
【００１０】
【図１】実施の形態１に係るラジオ受信装置の構成例を示すブロック図である。
【図２】実施の形態１に係るラジオ受信装置の動作例を示すフローチャートである。
【図３】実施の形態１におけるＲＤＳ局の例を説明する図である。
【図４】実施の形態１のＤＡＢデータ取得部が取得したＤＡＢデータのリスト例を示す図である。
【図５】実施の形態１の表示装置が表示するＲＤＳ局リストの例を示す図である。
【図６】実施の形態２に係るラジオ受信装置の構成例を示すブロック図である。
【図７】実施の形態２に係るラジオ受信装置の動作例を示すフローチャートである。
【図８】各実施の形態に係るラジオ受信装置における制御部のハードウェア構成例を示す図である。
【発明を実施するための形態】
【００１１】
以下、この発明をより詳細に説明するために、この発明を実施するための形態について、添付の図面に従って説明する。
実施の形態１．
図１は、実施の形態１に係るラジオ受信装置１００の構成例を示すブロック図である。ラジオ受信装置１００は、ＲＤＳ用メインチューナ１、ＲＤＳ用サブチューナ２、オーディオＤＳＰ（Ｄｉｇｉｔａｌ  Ｓｉｇｎａｌ  Ｐｒｏｃｅｓｓｏｒ）３、アンプ４、スピーカ５、ＤＡＢ用チューナ６、ＤＡＢデコーダ７、入力装置８、表示装置９、及び制御部１０を含む。制御部１０は、受信可能局検出部１１、ＲＤＳデータ取得部１２、ＤＡＢデータ取得部１３、ダイナミックＰＳ判定部１４、一致判定部１５、放送局名選定部１６、及び放送局名記憶部１７を含む。
【００１２】
ＲＤＳ用メインチューナ１は、ユーザにより選局されたＲＤＳ局のＲＤＳ放送を受信し、受信した信号をオーディオＤＳＰ３へ出力する。オーディオＤＳＰ３は、ＲＤＳ用メインチューナ１が受信したＲＤＳ放送の信号をＡＤ（Ａｎａｌｏｇ  Ｄｉｇｉｔａｌ）変換し、復調処理等を行って音声データにし、当該音声データをＤＡ（Ｄｉｇｉｔａｌ  Ａｎａｌｏｇ）変換してアンプ４へ出力する。アンプ４は、ユーザにより選局されたＲＤＳ局の音声信号を増幅し、スピーカ５へ出力する。スピーカ５は、アンプ４により増幅された音声信号を再生する。
【００１３】
ＲＤＳ用サブチューナ２は、ＲＤＳ放送の受信帯域内をシークして各周波数のＲＤＳ放送を受信する動作を繰り返し、受信できた周波数のＲＤＳ放送の信号をオーディオＤＳＰ３へ出力する。オーディオＤＳＰ３は、ＲＤＳ用サブチューナ２が受信したＲＤＳ放送の信号をＡＤ変換し、復調処理等を行ってＲＤＳデータにし、当該ＲＤＳデータをＲＤＳデータ取得部１２へ出力する。また、オーディオＤＳＰ３は、ＲＤＳ用サブチューナ２が受信できた各周波数の電界レベル又はノイズ等、受信品質を表すデータを、受信可能局検出部１１へ出力する。
【００１４】
ＲＤＳデータには、番組サービス名ＰＳ、番組識別コードＰＩ、及びＲＤＳ拡張国コードＥＣＣ等が含まれる。番組サービス名ＰＳは、ＲＤＳ局の放送局名を示すための情報である。ただし、上述したように、番組サービス名ＰＳには、曲名、歌手名、又はアルバム名等、放送局名以外の情報が含まれている場合がある。番組識別コードＰＩは、ＲＤＳ局を識別するコードである。ＲＤＳ拡張国コードＥＣＣは、番組識別コードＰＩの国コードに付与された、当該国コードを拡張するためのコードである。
【００１５】
ＤＡＢ用チューナ６は、ＤＡＢ放送の受信帯域内をシークして各周波数のＤＡＢ放送を受信する動作を繰り返し、受信できた周波数のＤＡＢ放送の信号をＤＡＢデコーダ７へ出力する。ＤＡＢデコーダ７は、ＤＡＢ用チューナ６が受信した信号をＡＤ変換し、デコード処理等を行ってＤＡＢデータにし、当該ＤＡＢデータをＤＡＢデータ取得部１３へ出力する。
【００１６】
ＤＡＢデータには、サービスラベルＳＬ、サービス識別コードＳＩｄ、及びＤＡＢ拡張国コードＥＣＣ等が含まれる。サービスラベルＳＬは、ＤＡＢ局の放送局名を示すための情報であり、ＲＤＳデータの番組サービス名ＰＳに対応する。サービス識別コードＳＩｄは、ＤＡＢ局を識別するコードであり、ＲＤＳデータの番組識別コードＰＩに対応する。ＤＡＢ拡張国コードＥＣＣは、国コードを拡張するためのコードであり、ＲＤＳ拡張国コードＥＣＣに対応する。
【００１７】
入力装置８は、ＲＤＳ局を選局する操作をユーザから受け付け、当該操作により選局されたＲＤＳ局を示す情報（以下、「選局情報」と称する）を、制御部１０へ出力する。制御部１０は、入力装置８から出力された選局情報を、ＲＤＳ用メインチューナ１へ出力する。ＲＤＳ用メインチューナ１は、制御部１０から出力された選局情報に従い、受信する周波数を切り替える。
【００１８】
表示装置９は、制御部１０が生成したＲＤＳ局リストを表示する。ＲＤＳ局リストには、ラジオ受信装置１００が受信可能なＲＤＳ局の放送局名が含まれる。
【００１９】
受信可能局検出部１１は、ＲＤＳ用サブチューナ２における各周波数の受信品質を表すデータを、オーディオＤＳＰ３から取得する。受信可能局検出部１１は、受信品質を表すデータを用いて、ＲＤＳ用メインチューナ１及びＲＤＳ用サブチューナ２が受信可能な品質のＲＤＳ局（以下、「受信可能局」と称する）を検出する。受信可能局検出部１１は、受信可能局の情報をＲＤＳデータ取得部１２へ出力する。
【００２０】
ＲＤＳデータ取得部１２は、受信可能局検出部１１が検出した受信可能局のＲＤＳデータを、オーディオＤＳＰ３から取得する。ＲＤＳデータ取得部１２は、オーディオＤＳＰ３から取得したＲＤＳデータを、ダイナミックＰＳ判定部１４、一致判定部１５、及び放送局名選定部１６へ出力する。
【００２１】
ＤＡＢデータ取得部１３は、ＤＡＢ用チューナ６が受信したＤＡＢ局のＤＡＢデータをＤＡＢデコーダ７から取得し、一致判定部１５及び放送局名選定部１６へ出力する。
【００２２】
ダイナミックＰＳ判定部１４は、ＲＤＳデータ取得部１２が取得したＲＤＳデータに含まれる番組サービス名ＰＳを用いて、受信可能局検出部１１が検出した受信可能局がダイナミックＰＳ局であるか否かを判定する。上述したように、ダイナミックＰＳ局は、曲名、歌手名、又はアルバム名等、放送局名以外の情報を番組サービス名ＰＳとして送信している、ＲＤＳ規格に違反したＲＤＳ局である。ダイナミックＰＳ判定部１４は、判定対象の受信可能局について、ＲＤＳ用サブチューナ２が予め定められた回数（例えば、２回）受信した複数のＲＤＳデータに含まれる複数の番組サービス名ＰＳが同一か否かを判定する。そして、ダイナミックＰＳ判定部１４は、複数の番組サービス名ＰＳが同一である場合、当該判定対象の受信可能局はダイナミックＰＳ局ではないと判定し、複数の番組サービス名ＰＳが同一でない場合、当該判定対象の受信可能局はダイナミックＰＳ局であると判定する。ダイナミックＰＳ判定部１４は、判定結果を一致判定部１５及び放送局名選定部１６へ出力する。
なお、ダイナミックＰＳ判定部１４は、予め定められた期間にＲＤＳ用サブチューナ２が受信した複数のＲＤＳデータに含まれる複数の番組サービス名ＰＳを用いて、ダイナミックＰＳ局か否かの判定を行ってもよい。
【００２３】
一致判定部１５は、ダイナミックＰＳ判定部１４がダイナミックＰＳ局であると判定したＲＤＳ局について、ＲＤＳデータ取得部１２が取得したＲＤＳデータとＤＡＢデータ取得部１３が取得したＤＡＢデータとが一致するか否かを判定する。具体的には、一致判定部１５は、ダイナミックＰＳ局のＲＤＳデータに含まれる番組識別コードＰＩに一致するサービス識別コードＳＩｄを含むＤＡＢデータが、ＤＡＢデータ取得部１３により取得されたか否かを判定する。一致判定部１５は、上記ダイナミックＰＳ局のＲＤＳデータに含まれる番組識別コードＰＩに一致するサービス識別コードＳＩｄを含むＤＡＢデータがあると判定した場合、当該ＲＤＳデータに含まれる番組サービス名ＰＳと当該ＤＡＢデータに含まれるサービスラベルＳＬとが一致するか否かを判定する。また、一致判定部１５は、上記ダイナミックＰＳ局のＲＤＳデータに含まれる番組識別コードＰＩに一致するサービス識別コードＳＩｄを含むＤＡＢデータがある場合、当該ＲＤＳデータに含まれるＲＤＳ拡張国コードＥＣＣと当該ＤＡＢデータに含まれるＤＡＢ拡張国コードＥＣＣとが一致するか否かを判定する。一致判定部１５は、判定結果を放送局名選定部１６へ出力する。
【００２４】
放送局名選定部１６は、ダイナミックＰＳ判定部１４がダイナミックＰＳ局でないと判定したＲＤＳ局について、当該ＲＤＳ局のＲＤＳデータに含まれる番組サービス名ＰＳを放送局名として選定する。
一方、放送局名選定部１６は、ダイナミックＰＳ判定部１４がダイナミックＰＳ局であると判定したＲＤＳ局の放送局名を、以下のように選定する。
【００２５】
一致判定部１５により、ダイナミックＰＳ局のＲＤＳデータに含まれる番組識別コードＰＩに一致するサービス識別コードＳＩｄを含むＤＡＢデータがあると判定された場合、放送局名選定部１６は、当該ダイナミックＰＳ局に対応するＤＡＢ局があると判定し、ＤＡＢデータを用いて放送局名を選定する。具体的には、選定対象のダイナミックＰＳ局について、一致判定部１５により、ＲＤＳデータの番組サービス名ＰＳとＤＡＢデータのサービスラベルＳＬとが一致すると判定された場合、又は、ＲＤＳデータのＲＤＳ拡張国コードＥＣＣとＤＡＢデータのＤＡＢ拡張国コードＥＣＣとが一致すると判定された場合、放送局名選定部１６は、ＤＡＢサービスのサービスラベルＳＬを放送局名として選定する。
【００２６】
一方、選定対象のダイナミックＰＳ局について、一致判定部１５により、ＲＤＳデータの番組サービス名ＰＳとＤＡＢデータのサービスラベルＳＬとが一致しないと判定された場合、かつ、ＲＤＳデータのＲＤＳ拡張国コードＥＣＣとＤＡＢデータのＤＡＢ拡張国コードＥＣＣとが一致しないと判定された場合、放送局名選定部１６は、ＤＡＢサービスのサービスラベルＳＬを、一時的な放送局名として選定する。その後、放送局名選定部１６は、ＲＤＳ用サブチューナ２が予め定められた回数（例えば、５回）、上記ダイナミックＰＳ局のＲＤＳデータを受信した時点で、これら複数のＲＤＳデータに含まれる複数の番組サービス名ＰＳのうち、最も出現回数が多い番組サービス名ＰＳを、正式な放送局名として選定する。
なお、放送局名選定部１６は、予め定められた期間にＲＤＳ用サブチューナ２が受信した複数のＲＤＳデータに含まれる複数の番組サービス名ＰＳを用いて、最も出現回数が多い番組サービス名ＰＳを、正式な放送局名として選定してもよい。
【００２７】
一致判定部１５により、ダイナミックＰＳ局の番組識別コードＰＩに一致するサービス識別コードＳＩｄを含むＤＡＢデータがないと判定された場合、放送局名選定部１６は、当該ダイナミックＰＳ局に対応するＤＡＢ局がないと判定し、ＲＤＳデータのみを用いて放送局名を選定する。具体的には、放送局名選定部１６は、選定対象のダイナミックＰＳ局について、ＲＤＳ用サブチューナ２が予め定められた回数（例えば、５回）ＲＤＳデータを受信した時点で、これら複数のＲＤＳデータに含まれる複数の番組サービス名ＰＳのうち、最も出現回数が多い番組サービス名ＰＳを放送局名として選定する。
なお、放送局名選定部１６は、予め定められた期間にＲＤＳ用サブチューナ２が受信した複数のＲＤＳデータに含まれる複数の番組サービス名ＰＳを用いて、最も出現回数が多い番組サービス名ＰＳを放送局名として選定してもよい。
【００２８】
放送局名選定部１６は、上記の方法により選定した放送局名を、放送局名記憶部１７に記憶させる。制御部１０は、放送局名記憶部１７が記憶している放送局名を用いて、ＲＤＳ局リストを作成し、表示装置９に出力する。ＲＤＳ局リストは、受信可能局検出部１１が検出した各ＲＤＳ局の放送局名のリストであってもよいし、各ＲＤＳ局の放送局名と周波数のリストであってもよい。
【００２９】
図２は、実施の形態１に係るラジオ受信装置１００の動作例を示すフローチャートである。ラジオ受信装置１００は、電源が供給されている間、図２のフローチャートに示される動作を行う。また、図示は省略するが、ＲＤＳデータ取得部１２及びＤＡＢデータ取得部１３は、ラジオ受信装置１００に電源が供給されている間、受信帯域内のＲＤＳ局のＲＤＳデータ及びＤＡＢ局のＤＡＢデータを定期的に取得しているものとする。
【００３０】
ステップＳＴ１において、受信可能局検出部１１は、オーディオＤＳＰ３から取得した受信品質を表すデータを用いて、受信可能局を検出する。
図３は、実施の形態１におけるＲＤＳ局の例を説明する図である。図３の例において、ＲＤＳ放送の受信帯域が１０８．０ＭＨｓ〜１０７．５ＭＨｚである場合、ＲＤＳ用サブチューナ２は、この受信帯域内の各周波数の信号を繰り返し受信する。そして、受信可能局検出部１１は、受信品質を表すデータを用いて、１０７．９ＭＨｚ及び１０７．６ＭＨｚを受信可能局として検出する。なお、図３には、受信可能局のＲＤＳデータである番組識別コードＰＩ、番組サービス名ＰＳ、及びＲＤＳ拡張国コードＥＣＣが示されている。
【００３１】
ＲＤＳデータ取得部１２が１０７．９ＭＨｚの受信可能局について所定回数分（例えば、２回分）の番組サービス名ＰＳを取得した場合、ダイナミックＰＳ判定部１４は、当該受信可能局がダイナミックＰＳ局か否かを判定する（ステップＳＴ２）。
【００３２】
図３の例では、１０７．９ＭＨｚの受信可能局について、２回分の番組サービス名ＰＳが「ＦＭＡＡＡ」と「ＦＭＡＡＡ」であり、同じである。そのため、ダイナミックＰＳ判定部１４は、１０７．９ＭＨｚの受信可能局がダイナミックＰＳ局でないと判定する。一方、１０７．６ＭＨｚの受信可能局について、２回分の番組サービス名ＰＳが「ＦＭＢＢＢ」と「ＣＣＣＣＣ」であり、同じでない。そのため、ダイナミックＰＳ判定部１４は、１０７．６ＭＨｚの受信可能局がダイナミックＰＳ局であると判定する。
【００３３】
ダイナミックＰＳ判定部１４が、受信可能局がダイナミックＰＳ局でないと判定した場合（ステップＳＴ３“ＮＯ”）、放送局名選定部１６は、当該受信可能局のＲＤＳデータに含まれる番組サービス名ＰＳを、当該受信可能局の放送局名として選定する（ステップＳＴ５）。そして、放送局名選定部１６は、選定した放送局名を放送局名記憶部１７に記憶させる（ステップＳＴ６）。図３の例では、１０７．９ＭＨｚの受信可能局の放送局名として、番組サービス名ＰＳである「ＦＭＡＡＡ」が選定される。
【００３４】
ダイナミックＰＳ判定部１４が、受信可能局がダイナミックＰＳ局であると判定した場合（ステップＳＴ３“ＹＥＳ”）、放送局名選定部１６は、後述するステップＳＴ１１における放送局名選定のために、当該ダイナミックＰＳ局のＲＤＳデータに含まれる番組サービス名ＰＳを取得する（ステップＳＴ４）。続いて、一致判定部１５は、当該ダイナミックＰＳ局のＲＤＳデータに含まれる番組識別コードＰＩに一致するサービス識別コードＳＩｄを含むＤＡＢデータがあるか否かを判定する（ステップＳＴ７）。一致判定部１５は、当該ダイナミックＰＳ局のＲＤＳデータに含まれる番組識別コードＰＩに一致するサービス識別コードＳＩｄを含むＤＡＢデータがある場合（ステップＳＴ７“ＹＥＳ”）、当該ダイナミックＰＳ局のＲＤＳデータに含まれる番組サービス名ＰＳ及びＲＤＳ拡張国コードＥＣＣが、それぞれ、当該ＤＡＢデータに含まれるサービスラベルＳＬ及びＤＡＢ拡張国コードＥＣＣと一致するか否かを判定する（ステップＳＴ８）。一致判定部１５が、番組サービス名ＰＳとサービスラベルＳＬとが一致したと判定した場合、又は、ＲＤＳ拡張国コードＥＣＣとＤＡＢ拡張国コードＥＣＣとが一致したと判定した場合（ステップＳＴ８“ＹＥＳ”）、放送局名選定部１６は、当該ＤＡＢデータに含まれるサービスラベルＳＬを当該ダイナミックＰＳ局の放送局名として選定する（ステップＳＴ９）。そして、放送局名選定部１６は、選定した放送局名を放送局名記憶部１７に記憶させる（ステップＳＴ１０）。
【００３５】
図４は、実施の形態１のＤＡＢデータ取得部１３が取得したＤＡＢデータのリスト例を示す図である。図４の例では、ＤＡＢデータ取得部１３により、２２２．０６４ＭＨｚのＤＡＢ局のＤＡＢデータが取得済みである。このＤＡＢデータは、サービス識別コードＳＩｄ「Ｃ２２２」、サービスラベルＳＬ「ＦＭＢＢＢ」、及びＤＡＢ拡張国コードＥＣＣ「１７」を含む。この例において、１０７．６ＭＨｚのダイナミックＰＳ局のＲＤＳデータに含まれる番組識別コードＰＩ「Ｃ２２２」は、２２２．０６４ＭＨｚのＤＡＢ局のＤＡＢデータに含まれるサービス識別コードＳＩｄ「Ｃ２２２」と一致する。また、１０７．６ＭＨｚのダイナミックＰＳ局のＲＤＳデータに含まれるＲＤＳ拡張国コードＥＣＣ「１７」は、２２２．０６４ＭＨｚのＤＡＢ局のＤＡＢデータに含まれるＤＡＢ拡張国コードＥＣＣ「１７」と一致する。そのため、１０７．６ＭＨｚのダイナミックＰＳ局の放送局名として、サービスラベルＳＬである「ＦＭＢＢＢ」が選定される。
【００３６】
なお、一致判定部１５が、ダイナミックＰＳ局のＲＤＳデータに含まれる番組識別コードＰＩに一致するサービス識別コードＳＩｄを含むＤＡＢデータがないと判定した場合（ステップＳＴ７“ＮＯ”）、処理はステップＳＴ１１へ進む。ステップＳＴ１１において、放送局名選定部１６は、１０７．６ＭＨｚのダイナミックＰＳ局について所定回数分（例えば、５回分）の番組サービス名ＰＳを取得した場合（ステップＳＴ１１“ＹＥＳ”）、最も出現回数が多い番組サービス名ＰＳを、当該ダイナミックＰＳ局の放送局名として選定する（ステップＳＴ１２）。そして、放送局名選定部１６は、選定した放送局名を放送局名記憶部１７に記憶させる（ステップＳＴ１３）。
これに対し、放送局名選定部１６は、１０７．６ＭＨｚのダイナミックＰＳ局について所定回数分（例えば、５回分）の番組サービス名ＰＳを取得し終えていない場合（ステップＳＴ１１“ＮＯ”）、処理はステップＳＴ４へ戻る。
【００３７】
また、一致判定部１５が、ダイナミックＰＳ局のＲＤＳデータに含まれる番組サービス名ＰＳとＤＡＢデータに含まれるサービスラベルＳＬとが一致せず、かつ、ＲＤＳ拡張国コードＥＣＣとＤＡＢ拡張国コードＥＣＣとが一致しないと判定した場合（ステップＳＴ８“ＮＯ”）、処理はステップＳＴ１４へ進む。ステップＳＴ１４において、放送局名選定部１６は、曲名又は歌手名等の可能性がある番組サービス名ＰＳではなく、ＤＡＢデータに含まれるサービスラベルＳＬを、当該ダイナミックＰＳ局の一時的な放送局名として選定する（ステップＳＴ１４）。そして、放送局名選定部１６は、選定した一時的な放送局名を放送局名記憶部１７に記憶させる（ステップＳＴ１５）。
ただし、番組サービス名ＰＳとサービスラベルＳＬとが一致せず、かつ、ＲＤＳ拡張国コードＥＣＣとＤＡＢ拡張国コードＥＣＣも一致していないので、ダイナミックＰＳ局とＤＡＢ局との誤認識が生じている可能性がある。そのため、その後のステップＳＴ１１〜ＳＴ１３において、放送局名選定部１６は、最も出現回数が多い番組サービス名ＰＳを、当該ダイナミックＰＳ局の放送局名として正式に選定し、放送局名記憶部１７に記憶させる。
【００３８】
図５は、実施の形態１の表示装置９が表示するＲＤＳ局リストの例を示す図である。このＲＤＳ局リストには、１０７．９ＭＨｚの、ダイナミックＰＳ局でない受信可能局の放送局名「ＦＭＡＡＡ」と、１０７．６ＭＨｚの、ダイナミックＰＳ局である受信可能局の放送局名「ＦＭＢＢＢ」とが含まれる。
【００３９】
以上のように、実施の形態１に係るラジオ受信装置１００は、ＲＤＳ用サブチューナ２と、ＤＡＢ用チューナ６と、ＲＤＳデータ取得部１２と、ＤＡＢデータ取得部１３と、受信可能局検出部１１と、ダイナミックＰＳ判定部１４と、一致判定部１５と、放送局名選定部１６とを備える。ＲＤＳ用サブチューナ２は、ＲＤＳ放送を受信する。ＤＡＢ用チューナ６は、ＤＡＢ放送を受信する。ＲＤＳデータ取得部１２は、ＲＤＳ用サブチューナ２により受信されたＲＤＳ放送から番組識別コードＰＩ及び番組サービス名ＰＳを取得する。ＤＡＢデータ取得部１３は、ＤＡＢ用チューナ６により受信されたＤＡＢ放送からサービス識別コードＳＩｄ及びサービスラベルＳＬを取得する。受信可能局検出部１１は、ＲＤＳ用サブチューナ２で受信可能な品質のＲＤＳ局を検出する。ダイナミックＰＳ判定部１４は、受信可能局検出部１１により検出された受信可能局がダイナミックＰＳ局であるか否かを判定する。一致判定部１５は、ＲＤＳデータ取得部１２により取得された、当該ダイナミックＰＳ局の番組識別コードＰＩ及び番組サービス名ＰＳが、それぞれ、ＤＡＢデータ取得部１３により取得された、当該ダイナミックＰＳ局のサービス識別コードＳＩｄ及びサービスラベルＳＬと一致するか否かを判定する。放送局名選定部１６は、一致判定部１５によりダイナミックＰＳ局の番組識別コードＰＩとサービス識別コードＳＩｄとが一致すると共に番組サービス名ＰＳとサービスラベルＳＬとが一致すると判定された場合、当該サービスラベルＳＬをダイナミックＰＳ局の放送局名として選定する。このように、ラジオ受信装置１００は、番組識別コードＰＩとサービス識別コードＳＩｄとの一致に加え、番組サービス名ＰＳとサービスラベルＳＬとの一致を確認するので、ダイナミックＰＳ局の放送局名を正しく選定することができる。
【００４０】
また、実施の形態１の放送局名選定部１６は、一致判定部１５によりダイナミックＰＳ局の番組識別コードＰＩに一致するサービス識別コードＳＩｄがないと判定された場合、ＲＤＳデータ取得部１２により複数回取得された複数の番組サービス名ＰＳの中から最も出現回数の多い番組サービス名ＰＳを、当該ダイナミックＰＳ局の放送局名として選定する。これにより、ラジオ受信装置１００は、ＤＡＢ局の存在しないダイナミックＰＳ局であっても、放送局名を正しく選定することができる。
【００４１】
また、実施の形態１の一致判定部１５は、ＲＤＳデータ取得部１２がダイナミックＰＳ局の番組サービス名ＰＳを複数回取得し終えるまでの期間、当該ダイナミックＰＳ局の番組識別コードＰＩとサービス識別コードＳＩｄとが一致するか否かの判定（ステップＳＴ７）を定期的に行う。車両等に搭載されたラジオ受信装置１００は、はじめはＤＡＢデータが取得できなくても、時間経過に伴い又は車両等の移動に伴い、その後にＤＡＢデータが取得できる可能性がある。その場合、ラジオ受信装置１００は、ダイナミックＰＳ局の番組サービス名ＰＳを複数回取得し終える前に、ダイナミックＰＳ局の放送局名を選定することができる。
【００４２】
また、実施の形態１のＲＤＳデータ取得部１２は、ＲＤＳ用サブチューナ２により受信されたＲＤＳ放送からＲＤＳ拡張国コードＥＣＣを取得する。ＤＡＢデータ取得部１３は、ＤＡＢ用チューナ６により受信されたＤＡＢ放送からＤＡＢ拡張国コードＥＣＣを取得する。一致判定部１５は、ＲＤＳデータ取得部１２により取得された、ダイナミックＰＳ局のＲＤＳ拡張国コードＥＣＣと、ＤＡＢデータ取得部１３により取得された、当該ダイナミックＰＳ局のＤＡＢ拡張国コードＥＣＣとが一致するか否かを判定する。放送局名選定部１６は、一致判定部１５により当該ダイナミックＰＳ局の番組識別コードＰＩとサービス識別コードＳＩｄとが一致し、かつ、番組サービス名ＰＳとサービスラベルＳＬ又はＲＤＳ拡張国コードＥＣＣとＤＡＢ拡張国コードＥＣＣの少なくとも一方が一致すると判定された場合、当該サービスラベルＳＬをダイナミックＰＳ局の放送局名として選定する。このように、ラジオ受信装置１００は、番組識別コードＰＩとサービス識別コードＳＩｄとの一致に加え、番組サービス名ＰＳとサービスラベルＳＬとの一致、及びＲＤＳ拡張国コードＥＣＣとＤＡＢ拡張国コードＥＣＣとの一致を確認するので、ダイナミックＰＳ局とＤＡＢ局との誤認識を防止することができる。したがって、ダイナミックＰＳ局の放送局名をより正しく選定することができる。
この構成においても、ＲＤＳデータ取得部１２がダイナミックＰＳ局の番組サービス名ＰＳを複数回取得し終えるまでの期間、一致判定部１５が当該ダイナミックＰＳ局の番組識別コードＰＩとサービス識別コードＳＩｄとが一致するか否かの判定（ステップＳＴ７）を定期的に行うことにより、ラジオ受信装置１００は、ダイナミックＰＳ局の番組サービス名ＰＳを複数回取得し終える前に、ダイナミックＰＳ局の放送局名を選定できる可能性がある。
【００４３】
また、実施の形態１の放送局名選定部１６は、一致判定部１５によりダイナミックＰＳ局の番組識別コードＰＩとサービス識別コードＳＩｄとが一致するが、番組サービス名ＰＳとサービスラベルＳＬとが一致せず、ＲＤＳ拡張国コードＥＣＣとＤＡＢ拡張国コードＥＣＣとが一致しないと判定された場合、当該サービスラベルＳＬをダイナミックＰＳ局の一時的な放送局名として選定する。放送局名選定部１６は、その後、ＲＤＳデータ取得部１２により複数回取得された複数の番組サービス名ＰＳの中から最も出現回数の多い番組サービス名ＰＳを、当該ダイナミックＰＳ局の正式な放送局名として選定する。このように、ラジオ受信装置１００は、番組識別コードＰＩとサービス識別コードＳＩｄとの一致に加え、番組サービス名ＰＳとサービスラベルＳＬとの一致、及びＲＤＳ拡張国コードＥＣＣとＤＡＢ拡張国コードＥＣＣとの一致を確認するので、ダイナミックＰＳ局とＤＡＢ局との誤認識を防止することができる。したがって、ダイナミックＰＳ局の放送局名をより正しく選定することができる。また、ラジオ受信装置１００は、番組サービス名ＰＳとサービスラベルＳＬとが一致せず、かつ、ＲＤＳ拡張国コードＥＣＣとＤＡＢ拡張国コードＥＣＣとが一致しない場合、番組サービス名ＰＳではなくサービスラベルＳＬを一時的な放送局名として選定するので、放送局名の誤選定を抑制することができる。
【００４４】
実施の形態２．
図６は、実施の形態２に係るラジオ受信装置１００の構成例を示すブロック図である。実施の形態２に係るラジオ受信装置１００は、図１に示された実施の形態１の放送局名選定部１６に代えて、放送局名選定部１６ａを備える構成である。図６において図１と同一又は相当する部分は、同一の符号を付し説明を省略する。
【００４５】
図７は、実施の形態２に係るラジオ受信装置１００の動作例を示すフローチャートである。図７のステップＳＴ１〜ＳＴ１５の動作は、図２のステップＳＴ１〜ＳＴ１５の動作と同じである。
ステップＳＴ２１において、放送局名選定部１６ａは、ＲＤＳデータ取得部１２が１回取得したダイナミックＰＳ局のＲＤＳデータに含まれる番組サービス名ＰＳに一致する放送局名が、放送局名記憶部１７に記憶されているか否かを判定する。ダイナミックＰＳ局のＲＤＳデータに含まれる番組サービス名ＰＳに一致する放送局名が、放送局名記憶部１７に記憶されている場合（ステップＳＴ２１“ＹＥＳ”）、放送局名選定部１６ａは、番組サービス名ＰＳを当該ダイナミックＰＳ局の放送局名として選定する（ステップＳＴ５）。一方、ダイナミックＰＳ局のＲＤＳデータに含まれる番組サービス名ＰＳに一致する放送局名が、放送局名記憶部１７に記憶されていない場合（ステップＳＴ２１“ＮＯ”）、処理はステップＳＴ２へ進む。
【００４６】
例えば、放送局名記憶部１７が図５に示される放送局名を記憶している場合を想定する。この場合において、１０７．６ＭＨｚのダイナミックＰＳ局のＲＤＳデータに含まれる番組サービス名ＰＳが「ＦＭＢＢＢ」であれば、この「ＦＭＢＢＢ」に一致する放送局名が放送局名記憶部１７に記憶されているため、１０７．６ＭＨｚのダイナミックＰＳ局の放送局名として番組サービス名ＰＳ「ＦＭＢＢＢ」が選定される。
【００４７】
以上のように、実施の形態２に係るラジオ受信装置１００は、放送局名選定部１６ａにより選定された放送局名を記憶する放送局名記憶部１７を備える。そして、放送局名選定部１６ａは、ＲＤＳデータ取得部１２により取得された、ダイナミックＰＳ局の番組サービス名ＰＳに一致する放送局名が放送局名記憶部１７に記憶されている場合、当該番組サービス名ＰＳをダイナミックＰＳ局の放送局名として選定する。放送局名記憶部１７に記憶済みの放送局名は信頼度が高いため、ラジオ受信装置１００は、ステップＳＴ２〜ＳＴ４及びステップＳＴ７〜ＳＴ１５の動作を行わずに、直ちに放送局名を選定することができる。
【００４８】
なお、実施の形態１，２では、ＲＤＳ用サブチューナ２は、ＲＤＳ用メインチューナ１が受信中の周波数を含む受信帯域内をシークして各周波数のＲＤＳ放送を受信する動作を繰り返していたが、この動作に限定されない。
例えば、ＲＤＳ用サブチューナ２は、ＲＤＳ用メインチューナ１が受信中の周波数を除外した受信帯域内をシークして、ＲＤＳ用メインチューナ１が受信中の周波数を除外した各周波数のＲＤＳ放送を受信する動作を繰り返してもよい。この場合、オーディオＤＳＰ３は、ＲＤＳ用メインチューナ１が受信した周波数のＲＤＳデータ及び受信品質を表すデータとを、制御部１０へ出力する。また、オーディオＤＳＰ３は、ＲＤＳ用サブチューナ２が受信した各周波数のＲＤＳデータ及び受信品質を表すデータとを、制御部１０へ出力する。したがって、ＲＤＳデータ取得部１２は、ユーザにより選局されたＲＤＳ局のＲＤＳデータを、ＲＤＳ用メインチューナ１により受信されたＲＤＳ放送から取得し、ユーザにより選局されたＲＤＳ局以外のＲＤＳ局のＲＤＳデータを、ＲＤＳ用サブチューナ２により受信されたＲＤＳ放送から取得することになる。この構成の場合、ＲＤＳ用サブチューナ２が受信対象とする周波数が減るので、ＲＤＳ用サブチューナ２による受信帯域内のシーク時間を短縮することができる。その結果として、放送局名選定部１６，１６ａは、より短時間で放送局名を選定することができる。
【００４９】
最後に、各実施の形態に係るラジオ受信装置１００における制御部１０のハードウェア構成を説明する。
図８は、各実施の形態に係るラジオ受信装置１００における制御部１０のハードウェア構成例を示す図である。制御部１０における受信可能局検出部１１、ＲＤＳデータ取得部１２、ＤＡＢデータ取得部１３、ダイナミックＰＳ判定部１４、一致判定部１５、及び放送局名選定部１６，１６ａの機能は、メモリ１０２に格納されるプログラムを実行するプロセッサ１０１により実現される。また、制御部１０における放送局名記憶部１７は、メモリ１０２である。
【００５０】
受信可能局検出部１１、ＲＤＳデータ取得部１２、ＤＡＢデータ取得部１３、ダイナミックＰＳ判定部１４、一致判定部１５、及び放送局名選定部１６，１６ａの機能は、ソフトウェア、ファームウェア、又はソフトウェアとファームウェアとの組み合わせにより実現される。ソフトウェア又はファームウェアはプログラムとして記述され、メモリ１０２に格納される。プロセッサ１０１は、メモリ１０２に格納されたプログラムを読みだして実行することにより、各部の機能を実現する。即ち、制御部１０は、プロセッサ１０１により実行されるときに、図２及び図７のフローチャートで示されるステップが結果的に実行されることになるプログラムを格納するためのメモリ１０２を備える。また、このプログラムは、受信可能局検出部１１、ＲＤＳデータ取得部１２、ＤＡＢデータ取得部１３、ダイナミックＰＳ判定部１４、一致判定部１５、及び放送局名選定部１６，１６ａの手順又は方法をコンピュータに実行させるものであるとも言える。
【００５１】
ここで、プロセッサ１０１とは、ＣＰＵ（Ｃｅｎｔｒａｌ  Ｐｒｏｃｅｓｓｉｎｇ  Ｕｎｉｔ）、処理装置、演算装置、又はマイクロプロセッサ等のことである。
メモリ１０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、又はフラッシュメモリ等の不揮発性もしくは揮発性の半導体メモリであってもよいし、ハードディスク又はフレキシブルディスク等の磁気ディスクであってもよいし、ＣＤ（Ｃｏｍｐａｃｔ  Ｄｉｓｃ）又はＤＶＤ（Ｄｉｇｉｔａｌ  Ｖｅｒｓａｔｉｌｅ  Ｄｉｓｃ）等の光ディスクであってもよい。
【００５２】
なお、本発明はその発明の範囲内において、各実施の形態の自由な組み合わせ、各実施の形態の任意の構成要素の変形、又は各実施の形態の任意の構成要素の省略が可能である。
【産業上の利用可能性】
【００５３】
この発明に係るラジオ受信装置は、ダイナミックＰＳ局の放送局名を正しく選定するようにしたので、国境付近を移動する可能性がある車両等に搭載されるラジオ受信装置などに用いるのに適している。
【符号の説明】
【００５４】
１  ＲＤＳ用メインチューナ、２  ＲＤＳ用サブチューナ、３  オーディオＤＳＰ、４  アンプ、５  スピーカ、６  ＤＡＢ用チューナ、７  ＤＡＢデコーダ、８  入力装置、９  表示装置、１０  制御部、１１  受信可能局検出部、１２  ＲＤＳデータ取得部、１３  ＤＡＢデータ取得部、１４  ダイナミックＰＳ判定部、１５  一致判定部、１６，１６ａ  放送局名選定部、１７  放送局名記憶部、１００  ラジオ受信装置、１０１  プロセッサ、１０２  メモリ。
【図１】
0006837613.tif 000002
【図２】
0006837613.tif 000003
【図３】
0006837613.tif 000004
【図４】
0006837613.tif 000005
【図５】
0006837613.tif 000006
【図６】
0006837613.tif 000007
【図７】
0006837613.tif 000008
【図８】
0006837613.tif 000009